(57)【要約】【課題】電力供給源に応じた消費可能な電力に基づいて最適な符号化データの復号方法を選択する情報再生装置及び情報再生方法を提供すること。【解決手段】本発明にかかる情報再生装置は、符号化されたデータを複数の復号方式のいずれかにより復号して再生するものであって、情報再生装置に電力を供給する電源の種類を検出する電源検出手段と、電源検出手段により検出された電源の種類に基づいて、符号化されたデータの復号方式を選択する復号方式選択手段とを備える。【選択図】図１
2009277280.tif 000002
【特許請求の範囲】
【請求項１】
符号化されたデータを複数の復号方式のいずれかにより復号して再生する情報再生装置であって、
前記情報再生装置に電力を供給する電源の種類を検出する電源検出手段と、
前記電源検出手段により検出された電源の種類に基づいて、前記符号化されたデータの復号方式を選択する復号方式選択手段とを備える情報再生装置。
【請求項２】
前記情報再生装置は、第１の電源と前記第１の電源よりも大容量の第２の電源のいずれかにより電力が供給され、
前記復号方式選択手段は、前記電源の種類が前記第１の電源である場合、前記電源の種類が前記第２の電源である場合に比べて精度の低い復号方式を選択することを特徴とする請求項１に記載の情報再生装置。
【請求項３】
前記第１の電源は、内部電源であり、
前記第２の電源は、外部電源であることを特徴とする請求項２に記載の情報再生装置。
【請求項４】
前記情報再生装置は、
内部電源と前記内部電源よりも大容量の外部電源のいずれかにより電力が供給され、
前記電源検出手段により検出された電源が前記内部電源であるときに、前記内部電源の残量を検出する残量検出手段をさらに備え、
前記復号方式選択手段は、前記残量検出手段により検出された前記内部電源の残量と前記電源の種類に基づいて、前記符号化されたデータの復号方式を選択することを特徴とする請求項１に記載の情報再生装置。
【請求項５】
前記復号方式選択手段は、前記内部電源の残量が所定値より少ない場合、前記内部電源の残量が所定値より多い場合に比べて精度の低い復号方式を選択することを特徴とする請求項４に記載の情報再生装置。
【請求項６】
出力品質又は消費電力のレベルの入力を受け付ける入力受付手段をさらに備え、
前記復号方式選択手段は、前記入力受付手段により受け付けられた前記入力レベルと前記電源の種類に基づいて、前記符号化されたデータの復号方式を選択することを特徴とする請求項１に記載の情報再生装置。
【請求項７】
前記情報再生装置は、内部電源と前記内部電源よりも大容量の外部電源のいずれかにより電力が供給され、
前記復号方式選択手段は、前記電源の種類が内部電源であり前記入力レベルが高いことを示す場合、前記電源の種類が外部電源であり前記入力レベルが高いことを示す場合に比べて精度の低い中精度の復号方式を選択することを特徴とする請求項６に記載の情報再生装置。
【請求項８】
前記復号方式選択手段は、前記電源の種類が外部電源であり前記入力レベルが低いことを示す場合に前記中精度の復号方式を選択することを特徴とする請求項７に記載の情報再生装置。
【請求項９】
符号化されたデータを複数の復号方式のいずれかにより復号して再生する情報再生装置における情報再生方法であって、
前記情報再生装置に電力を供給する電源の種類を検出する電源検出ステップと、
前記電源検出ステップにより検出された電源の種類に基づいて、前記符号化されたデータの復号方式を選択する復号方式選択ステップとを備える情報再生方法。
【請求項１０】
前記復号方式選択ステップは、前記電源の種類が前記情報再生装置に電力を供給する前記第１の電源である場合、前記電源の種類が前記第１の電源よりも大容量の第２の電源である場合に比べて精度の低い復号方式を選択することを特徴とする請求項９に記載の情報再生方法。
【請求項１１】
前記電源検出ステップにより検出された電源が前記情報再生装置に電力を供給する内部電源であるときに、前記内部電源の残量を検出する残量検出ステップをさらに備え、
前記復号方式選択ステップは、前記残量検出ステップにより検出された前記内部電源の残量と前記電源の種類に基づいて、前記符号化されたデータの復号方式を選択することを特徴とする請求項９に記載の情報再生方法。
【請求項１２】
前記復号方式選択ステップは、前記内部電源の残量が所定値より少ない場合、前記内部電源の残量が所定値より多い場合に比べて精度の低い復号方式を選択することを特徴とする請求項１１に記載の情報再生方法。
【請求項１３】
出力品質又は消費電力のレベルの入力を受け付ける入力受付ステップをさらに備え、
前記復号方式選択ステップは、前記入力受付ステップにより受け付けられた前記入力レベルと前記電源の種類に基づいて、前記符号化されたデータの復号方式を選択することを特徴とする請求項９に記載の情報再生方法。
【請求項１４】
前記復号方式選択ステップは、前記電源の種類が前記情報再生装置に電力を供給する内部電源であり前記入力レベルが高いことを示す場合、前記電源の種類が前記内部電源よりも大容量の外部電源であり前記入力レベルが高いことを示す場合に比べて精度の低い中精度の復号方式を選択することを特徴とする請求項１３に記載の情報再生方法。
【請求項１５】
前記復号方式選択ステップは、前記電源の種類が外部電源であり前記入力レベルが低いことを示す場合に前記中精度の復号方式を選択することを特徴とする請求項１４に記載の情報再生方法。
【発明の詳細な説明】
【技術分野】
【０００１】
本発明は、情報再生装置、及び情報再生方法に関し、特に符号化されたデータを複数の復号方式のいずれかにより復号して再生する情報再生装置、及び情報再生方法に関する。
【背景技術】
【０００２】
特許文献１には、バッテリの残存容量に応じて、あるいは、再生時の通常／省エネルギのモード選択に応じて、デコード処理の速度を制御してコンテンツを再生する圧縮データ復号装置が開示されている。
【０００３】
特許文献２には、電池の残容量を検出し、電池の残容量に応じて操作者により指定された再生モードを変更する情報再生装置が開示されている。
【０００４】
特許文献３には、電池残量に応じて復号化モードを制御する携帯用マルチメディア通信端末装置が開示されている。特に、当該携帯用マルチメディア通信端末装置では、蓄電池の残留電力量を検出する電池残量検出部を備え、電池残量検出部からの電池残量の通知を受け取った利用者がスイッチを切り換え、符号化モード切り換え部により符号化モードを切り換えることができる。または、電池残量検出部からの電池残量に応じて符号化モード自動切り換え部により符号化モードを切り換えることができる。
【０００５】
特許文献４には、ＡＣ（Alternating Current）電源か、内部電源かどうかを検出する電源供給検出回路を備え、検出された電源に応じてクロック制御を行う音声信号記録再生装置が開示されている。
【０００６】
また、一つの圧縮された音声データを異なる音声伸張方式で伸張して再生することができる音声伸張再生装置の例が特許文献５に開示されている。図５は、特許文献５にかかる音声伸張再生装置の構成を示すブロック図である。図６は、特許文献５にかかる音声伸張再生装置の処理を示すフローチャート図である。
【０００７】
特許文献５では、サーボ装置５０２は、記録媒体であるディスク５０１から音声コード信号等を読み取り、信号復調装置５０３及びシステム制御装置５０４へ送る。そして、信号復調装置５０３は、当該音声コード信号等を復調し、音声伸長ＤＳＰ５０５及びシステム制御装置５０４へ送る。また、音声伸長ＤＳＰ５０５は、図６に示す処理により信号復調装置５０３からの復調された音声コード信号に対して伸張処理を行い、ＤＡコンバータ５０６へ送信する。
【０００８】
まず、システム制御装置５０４は、音質選択スイッチ５０８からの選択情報を読み込む（Ｓ６０１）。そして、システム制御装置５０４は、当該選択情報が低音質でない場合（Ｓ６０２のＮＯ）、電源電圧供給装置５１０から高電圧（Ｓ６０６）、クロック供給装置５０９から高周波クロック信号（Ｓ６０７）、及び、プログラムＲＯＭ５１１から高音質再生用の広帯域かつ高精度の伸張処理を行うための第１の演算プログラム（Ｓ６０８）を音声伸長ＤＳＰ５０５へ供給する。また、システム制御装置５０４は、当該選択情報が低音質である場合（Ｓ６０２のＹＥＳ）、電源電圧供給装置５１０から低電圧（Ｓ６０３）、クロック供給装置５０９から低周波クロック信号（Ｓ６０４）、及び、プログラムＲＯＭ５１１から低音質再生用の狭帯域かつ低精度の伸張処理を行うための第２の演算プログラム（Ｓ６０５）を音声伸長ＤＳＰ５０５へ供給する。その後、音声伸長ＤＳＰ５０５は、供給された電源電圧、クロック信号、演算プログラムに従い、伸張演算を行う（Ｓ６０９）。
【０００９】
その後、ＤＡコンバータ５０６は、音声コード信号をディジタル信号からアナログ信号に変換し、音声出力装置５０７へ送信する。音声出力装置５０７は、当該アナログ信号を増幅及びフィルタリングした後、外部に出力する。
【特許文献１】特開２００１−１８９６５９号公報
【特許文献２】特開２００２−１７０３２３号公報
【特許文献３】特許第３６２３９６７号公報
【特許文献４】特開２００４−１７１６５６号公報
【特許文献５】特開平０６−０９７８３５号公報
【発明の開示】
【発明が解決しようとする課題】
【００１０】
しかしながら、上述した特許文献１乃至５に開示された技術では、電力消費が問題にならない電力供給源である場合にも品質の劣る再生になってしまい、他方で、消費電力の大きい復号方式により復号をした場合、再生時間が短くなってしまうという問題点がある。
【００１１】
特許文献１では、バッテリの残存容量に基づいてデコード処理速度の制御をするが、外部電源を含めた電力供給源が考慮されておらず、また、速度の制御のみであるため、復号方法の選択による制御をするものではない。また、特許文献２及び特許文献３では、外部電源を含めた電力供給源が考慮されていない。そのため、電力供給源が外部電源の場合には消費可能な電力が豊富であるにもかかわらず、消費電力が低いが、復号の精度も低い復号方法で再生せざるを得ないこととなる。
【００１２】
また、特許文献４では、電力供給源によりクロック制御を行うことができるが、内部電源の場合の電池残量が考慮されておらず、また、速度の制御のみであるため、復号方法の選択による制御をするものではない。そのため、電力供給源が内部電源で電池残量が所定値以上であっても、精度の低い復号方法で再生せざるを得ないこととなる。または、電力供給源が内部電源で電池残量が所定値より少ないであっても、引き続き精度の高い復号方法、つまり、消費電力が多い復号方法で再生し続けることにより、再生可能時間が短くなってしまう恐れがある。
【００１３】
さらに、特許文献５では、外部電源及び電池残量を含めた電力供給源が考慮されていない。そのため、電力供給源が外部電源の場合であっても、復号の精度が低い復号方法で再生せざるを得ないこととなる。また、電力供給源が内部電源で電池残量が所定値より少ないであっても、引き続き精度の高い復号方法、つまり、消費電力が多い復号方法で再生せざるをえず、再生可能時間が短くなってしまう恐れがある。
【課題を解決するための手段】
【００１４】
本発明にかかる情報再生装置は、符号化されたデータを複数の復号方式のいずれかにより復号して再生するものである。前記情報再生装置に電力を供給する電源の種類を検出する電源検出手段と、前記電源検出手段により検出された電源の種類に基づいて、前記符号化されたデータの復号方式を選択する復号方式選択手段とを備える。
【００１５】
本発明にかかる情報再生方法は、符号化されたデータを複数の復号方式のいずれかにより復号して再生する情報再生装置におけるものであって、前記情報再生装置に電力を供給する電源の種類を検出する電源検出ステップと、前記電源検出ステップにより検出された電源の種類に基づいて、前記符号化されたデータの復号方式を選択する復号方式選択ステップとを備える。
【００１６】
上述した本発明の情報再生装置及び情報再生方法によれば、例えば、電力供給源が外部電源の場合は、消費可能な電力が豊富であるため、電力消費率が高くても、精度の高い復号方法を選択して再生し続けることが可能である。
【００１７】
また、電力供給源が内部電源であり、特に電池残量が所定値より少ない場合、消費可能な電力に限りがあるため、復号精度よりも再生処理の継続を優先させ、精度が低い復号方法を選択することで、電力消費率を低く抑え、再生時間をできるだけ長くすることができる。
【００１８】
また、電力供給源が内部電源であり、電池残量が所定値以上の場合、相対的に中程度の精度である復号方法を選択することで、電力消費率と再生時間をある程度確保した上で最適な復号精度で再生することができる。
【００１９】
情報再生装置にとって復号方法は、消費電力に影響を与えるものである。そのため、消費可能な電力を考慮して復号方法を選択することで、情報再生装置への電力の供給状況、すなわち、情報再生装置の利用形態に応じた最適な再生をすることができる。
【発明の効果】
【００２０】
本発明により、電力供給源に応じた消費可能な電力に基づいて最適な符号化データの復号方法を選択する情報再生装置及び情報再生方法を提供することができる。
【発明を実施するための最良の形態】
【００２１】
以下では、本発明を適用した具体的な実施の形態について、図面を参照しながら詳細に説明する。各図面において、同一要素には同一の符号が付されており、説明の明確化のため、必要に応じて重複説明は省略する。
【００２２】
発明の実施の形態１．
図１は、本発明の実施の形態１にかかる音楽再生装置１０の構成を示すブロック図である。音楽再生装置１０は、一つの音声符号化データに対して消費電力の異なる複数の復号方式により復号し、それぞれの復号方式に対応する音質で再生することができる情報再生装置である。ここで、音声符号化データとは、圧縮処理された音声データ信号であり、符号化及び復号方式としては、例えば、ＭＰ３（MPEG Audio Layer-3）等がある。
【００２３】
音楽再生装置１０は、符号化データ入力部１０１と、デコード部１０２と、復号データ出力部１０３と、システム制御部１０４と、電力供給源判定部１０５と、設定入力部１０６と、表示部１０７とを備える。
【００２４】
符号化データ入力部１０１は、記録媒体等（不図示）に格納された音声符号化データを読み込み、デコード部１０２へ出力する。デコード部１０２は、符号化データ入力部１０１からの音声符号化データの入力を受け付け、当該音声符号化データをシステム制御部１０４により指定される復号方式に基づいてデコードし、復号データ出力部１０３へ出力する。ここで、復号方式としては、低い消費電力で処理可能であるが低精度の復号となる低音質モード、高精度な復号ができるが高い消費電力を必要とする高音質モード、並びに、低音質モード及び高音質モードの中間の程度の消費電力により中間の程度の精度で復号することができる通常音質モードがある。尚、復号方式は、３種類以上あって構わない。
【００２５】
復号データ出力部１０３は、デコード部１０２により復号されたデータを音声出力装置（不図示）へ出力する。
【００２６】
電力供給源判定部１０５は、音楽再生装置１０を動作させる電力の供給源である電力供給源が内部電源であるか外部電源であるかを判定し、判定された電力供給源に関する情報をシステム制御部１０４へ通知する。また、電力供給源判定部１０５は、電力供給源が内部電源である場合に、当該内部電源の消費量に関する情報をシステム制御部１０４へ通知する。内部電源とは、例えば、音楽再生装置１０に内蔵の電池（不図示）等であればよく、その場合、消費量に関する情報とは、電池残量であればよい。また、外部電源とは、例えば、ＡＣ電源であればよく、その場合、ＡＣアダプタ経由で供給されればよい。
【００２７】
設定入力部１０６は、音楽再生装置１０の使用者によって設定された再生モード自動切換情報、電池残量の閾値、及び復号方式の指定値等の入力を受け付け、システム制御部１０４へ出力する。ここで、再生モード自動切換情報とは、"ＯＮ"又は"ＯＦＦ"で表現される情報である。再生モード自動切換情報に"ＯＮ"が設定された場合、音楽再生装置１０は、電力供給源判定部１０５から通知される情報に基づいて音声符号化データの復号方式の選択を行う。また、再生モード自動切換情報に"ＯＦＦ"が設定された場合、音楽再生装置１０は、使用者からの指定値又は初期値に基づいて音声符号化データの復号方式の選択を行う。尚、再生モード自動切換情報、及び電池残量の閾値は、音楽再生装置１０内のメモリ（不図示）に初期値が格納されていてもよく、設定入力部１０６により変更可能としてもよい。
【００２８】
表示部１０７は、設定入力部１０６により入力された情報や、音楽再生装置１０による音声符号化データの再生状況等を表示する。
【００２９】
システム制御部１０４は、上述した符号化データ入力部１０１、デコード部１０２、復号データ出力部１０３、電力供給源判定部１０５、設定入力部１０６、及び表示部１０７を制御する。特に、システム制御部１０４は、設定入力部１０６からの入力値、並びに、電力供給源判定部１０５からの電力供給源に関する情報及び電池残量に基づいて、復号方式を選択し、当該復号方式をデコード部１０２へ通知する。
【００３０】
図２は、本発明の実施の形態１にかかるシステム制御部１０４による復号方式の選択処理を示すフローチャート図である。まず、システム制御部１０４は、設定入力部１０６から受け付けた再生モード自動切換情報が"ＯＮ"であるか否かを判定する（Ｓ２０１）。
【００３１】
ここで、再生モード自動切換情報が"ＯＮ"でない、つまり、"ＯＦＦ"であると判定された場合、システム制御部１０４は、指定のモードを復号方式としてデコード部１０２に通知し、デコードを実行させる（Ｓ２０７）。指定のモードとは、例えば、使用者から設定入力部１０６を介して入力された復号方式の指定値であるか、予め設定された復号方式の初期値である。
【００３２】
また、再生モード自動切換情報が"ＯＮ"であると判定された場合、システム制御部１０４は、電力供給源判定部１０５から受け付けた電力供給源に関する情報が内部電源であるか否かを判定する（Ｓ２０２）。
【００３３】
電力供給源に関する情報が内部電源でない、つまり、外部電源である場合、システム制御部１０４は、復号方式を高音質モードとしてデコード部１０２へ通知し、デコードを実行させる（Ｓ２０６）。
【００３４】
また、電力供給源に関する情報が内部電源である場合、システム制御部１０４は、電力供給源判定部１０５から受け付けた電池残量が、設定入力部１０６から受け付けた電池残量の閾値より小さいか否かを判定する（Ｓ２０３）。
【００３５】
電池残量の閾値より小さいと判定された場合、システム制御部１０４は、復号方式を低音質モードとしてデコード部１０２へ通知し、デコードを実行させる（Ｓ２０４）。また、電池残量の閾値以上であると判定された場合、システム制御部１０４は、復号方式を通常音質モードとしてデコード部１０２へ通知し、デコードを実行させる（Ｓ２０５）。
【００３６】
このように、本発明の実施の形態１にかかる音楽再生装置により、電力供給源に応じた消費可能な電力に基づいて最適な符号化データの復号方法を選択することができる。そのため、電力供給源が外部電源であるために消費可能な電力が豊富な場合、音楽再生装置１０における最高の音質で音楽を再生することができる。また、電力供給源が内部電源であるが、電池残量に余裕がある、つまり、消費可能な電力にある程度余裕がある場合、音楽再生装置１０における中程度の音質で音楽を再生することができ、不必要な電力の消費や音質の低下を防ぐことができる。さらに、電力供給源が内部電源であり、電池残量に余裕がない場合、音楽再生装置１０における最低限の音質で音楽を再生することができ、可能な限り消費電力を抑えつつ、より長い再生時間を提供することができる。
【００３７】
発明の実施の形態２．
本発明の実施の形態２では、本発明の実施の形態１にかかる音楽再生装置１０の変形例を示す。本発明の実施の形態２にかかる音楽再生装置１１は、電力供給状況と音質選択スイッチによる制御を行うことで、使用者の希望する音質と電力供給状況を考慮した最適な再生をすることができるものである。尚、以下では、本発明の実施の形態１との違いを中心に説明し、本発明の実施の形態１と同一の構成、及び処理については、説明を省略する。
【００３８】
図３は、本発明の実施の形態２にかかる音楽再生装置の構成を示すブロック図である。図３は、図１との違いとして、システム制御部１０４及び電力供給源判定部１０５が、システム制御部１０４ａ及び電力供給源判定部１０５ａに置き換わり、設定入力部１０６が除かれ、音質選択スイッチ１０８が追加されている。
【００３９】
音質選択スイッチ１０８は、音楽再生装置１０の使用者によって設定された出力品質のレベル（以下、入力レベルと呼ぶ）の入力を受け付け、システム制御部１０４へ出力する。ここで、出力品質のレベルとは、例えば、本発明の実施の形態１で挙げた復号方式である高音質モード、通常音質モード、及び低音質モードを示す情報であればよい。尚、入力レベルは、音楽再生装置１１内のメモリ（不図示）に初期値が格納されていてもよく、音質選択スイッチ１０８により変更可能としてもよい。
【００４０】
電力供給源判定部１０５ａは、電力供給源判定部１０５と同等の機能であればよい。または、電力供給源判定部１０５ａは、内部電源の消費量に関する情報をシステム制御部１０４ａへ通知する機能を有しなくても良い。
【００４１】
システム制御部１０４ａは、音質選択スイッチ１０８からの入力レベル、並びに、電力供給源判定部１０５ａからの電力供給源に関する情報に基づいて、復号方式を選択し、当該復号方式をデコード部１０２へ通知する。
【００４２】
図４は、本発明の実施の形態２にかかるシステム制御部１０４ａによる復号方式の選択処理を示すフローチャート図である。まず、システム制御部１０４ａは、図２のステップＳ２０２と同様に、電力供給源判定部１０５ａから受け付けた電力供給源に関する情報が内部電源であるか否かを判定する（Ｓ４０１）。
【００４３】
電力供給源に関する情報が内部電源である場合、システム制御部１０４ａは、音質選択スイッチ１０８から受け付けた入力レベルが低音質モードであるか否かを判定する（Ｓ４０２）。
【００４４】
電力供給源に関する情報が内部電源であり、入力レベルが低音質モードである場合、システム制御部１０４ａは、復号方式を低音質モードとしてデコード部１０２へ通知し、デコードを実行させる（Ｓ４０４）。
【００４５】
電力供給源に関する情報が内部電源であり、入力レベルが低音質モードでない場合、システム制御部１０４ａは、復号方式を通常音質モードとしてデコード部１０２へ通知し、デコードを実行させる（Ｓ４０５）。
【００４６】
また、ステップＳ４０１において、電力供給源に関する情報が内部電源でない、つまり、外部電源である場合、システム制御部１０４ａは、音質選択スイッチ１０８から受け付けた入力レベルが高音質モードであるか否かを判定する（Ｓ４０３）。
【００４７】
電力供給源に関する情報が外部電源であり、入力レベルが高音質モードでない場合、システム制御部１０４ａは、復号方式を通常音質モードとしてデコード部１０２へ通知し、デコードを実行させる（Ｓ４０５）。
【００４８】
電力供給源に関する情報が外部電源であり、入力レベルが高音質モードである場合、システム制御部１０４ａは、復号方式を高音質モードとしてデコード部１０２へ通知し、デコードを実行させる（Ｓ４０６）。
【００４９】
このように、本発明の実施の形態２にかかる音楽再生装置により、電力供給源に応じた消費可能な電力に加え、使用者の希望する音質に基づいて最適な符号化データの復号方法を選択することができる。そのため、電力供給源と使用者の希望する出力品質又は商品電力のレベルを加味した最適な情報の再生をすることができる。
【００５０】
また、本発明の実施の形態２にかかる音楽再生装置により、電力供給源が内部電源であっても、使用者が許容すれば、消費電力を制限しつつより高い精度で再生することができる。他方で、電力供給源が外部電源であっても、使用者が求めれば、より低い消費電力で再生することができる。
【００５１】
尚、入力レベルは、出力品質に限定されない。例えば、入力レベルは、省電力モード、及び電力消費の制限のない電力モード等の消費電力のレベルであってもよい。
【００５２】
その他の発明の実施の形態．
本発明にかかる情報再生装置は、本発明の実施の形態１及び２のように音楽再生装置に限定されない。例えば、動画再生装置であっても構わない。つまり、一つの符号化データに対して複数の復号方式により異なる情報に再生することが可能な情報再生装置であればよい。
【００５３】
尚、発明の実施の形態１における再生モード自動切換情報は、任意の処理で実現されればよい。例えば、図２のステップＳ２０７は、図４の処理フローとしてもよい。
【００５４】
尚、電力供給源判定部１０５の判定は外部電源又は内部電源であるかに限定されない。例えば、内蔵電源と、外付けバッテリによる判定であってもよい。
【００５５】
本発明は、次のような状況に適用し効果を奏することも可能である。例えば、情報再生装置が携帯型の音楽再生装置の場合、自宅等で音楽再生装置を使用するときは、ＡＣ電源からの電力の供給が可能なため消費電力の制約が少ないため、音楽再生装置の復号処理の機能を最大限に活かした最高の音質で音楽を再生することができる。一方、音楽再生装置を携帯して外出しているときは、音楽再生装置における最高の音質を実現するのではなく、音質はある程度犠牲にして消費電力を減らして長時間再生することができる。特に、帰宅にはあと１時間かかるが、音楽再生装置の電池残量が３０分程度であるような状況では、さらに音質を下げることで再生時間を延ばすことができる。
【００５６】
尚、上述した状況における他の解決手段として、同じ音楽データに対して、異なるビットレートによる複数の符号化データを携帯型の音楽再生装置に保存することが考えられる。しかしながら、携帯型の音楽再生装置は、内蔵メモリ容量の制約が大きいため、実用性の低い解決手段と言える。そのため、本発明のように、音楽再生装置の再生処理プログラムによる復号方式の選択による解決がより効果的と言える。
【００５７】
また、本発明の実施の形態１では、装置の使用状況、つまり、電力供給状況に合わせて、自動的に復号方式を選択することができる。そのため、使用者による判断、操作を減らすことができる。
【００５８】
また、本発明により、電力供給状況に合わせて音質と消費電力が変更できるため、使用状況ごとに複数の情報再生装置を使い分ける必要がなくなる、つまり、１台の情報再生装置を様々な状況で使うことができるという効果を奏する。
【００５９】
使用状況ごとに複数の再生装置を使い分けるとは、例えば、外出先で音楽を聞く場合は携帯型の音楽再生装置を利用し、自宅においてはオーディオセット、自動車においてはカーステレオ機器といった固定型の音楽再生装置を利用することを指す。この場合、音楽データを各音楽再生装置へ移行する操作が必要となり煩雑である。
【００６０】
しかしながら、近年のオーディオ機器の発達により、上述した固定型の音楽再生装置に携帯型の音楽再生装置との接続機構、例えば、ドッキングステーションなどにより携帯型の音楽再生装置への電力をＡＣアダプタを介して供給することが可能である。そのため、本発明にかかる音楽再生装置が、上述したドッキングステーションなどに接続された際には、電力供給源が外部電源であると判定され、高音質の再生をすることができる。特に、ドッキングステーションに接続されることにより、アンプや７．１ｃｈスピーカなどを介して出力することができるため、高音質の再生を提供することが可能となる。
【００６１】
以上のことから、本発明にかかる情報再生装置を様々な状況で、その状況にあった音質及び消費電力で使用することができ、また、情報再生装置間での符号化されたデータの移動などをする手間も省くことができる。
【００６２】
さらに、本発明は上述した実施の形態のみに限定されるものではなく、既に述べた本発明の要旨を逸脱しない範囲において種々の変更が可能であることは勿論である。
【図面の簡単な説明】
【００６３】
【図１】本発明の実施の形態１にかかる音楽再生装置の構成を示すブロック図である。
【図２】本発明の実施の形態１にかかる復号方式の選択処理を示すフローチャート図である。
【図３】本発明の実施の形態２にかかる音楽再生装置の構成を示すブロック図である。
【図４】本発明の実施の形態２にかかる復号方式の選択処理を示すフローチャート図である。
【図５】関連する技術にかかる音声伸張再生装置の構成を示すブロック図である。
【図６】関連する技術にかかる音声伸張再生装置の処理を示すフローチャート図である。
【符号の説明】
【００６４】
１０  音楽再生装置
１１  音楽再生装置
１０１  符号化データ入力部
１０２  デコード部
１０３  復号データ出力部
１０４  システム制御部
１０４ａ  システム制御部
１０５  電力供給源判定部
１０５ａ  電力供給源判定部
１０６  設定入力部
１０７  表示部
１０８  音質選択スイッチ
５０１  ディスク
５０２  サーボ装置
５０３  信号復調装置
５０４  システム制御装置
５０５  音声伸長ＤＳＰ
５０６  ＤＡコンバータ
５０７  音声出力装置
５０８  音質選択スイッチ
５０９  クロック供給装置
５１０  電源電圧供給装置
５１１  プログラムＲＯＭ
【図１】
2009277280.tif 000003
【図２】
2009277280.tif 000004
【図３】
2009277280.tif 000005
【図４】
2009277280.tif 000006
【図５】
2009277280.tif 000007
【図６】
2009277280.tif 000008